(57)【要約】【課題】重りの材料に鉛を使用せず、重りの鍵盤への着脱を容易に行うことができる鍵盤楽器用重りおよび鍵盤を提供すること。【解決手段】固定具３２は、鉄製である重り本体３１の第１周面３１ａと摺接する周面３２ａを有するため、第１周面３１ａと周面３２ａとが接して、重り本体３１に固定具３２が嵌合された状態で、重り３０は重り孔２１に挿抜されることができる。重り本体３１と固定具３２とが相対回転されて、固定具３２の爪部３２ｃが重り本体３１の第１周面３１ａに当接すると、第１周面３１ａにより、爪部３２ｃは重り孔２１の周面に向かって付勢するため、重り３０は重り孔２１に固定される。重り３０の材料を鉛以外の鉄としつつ、重り本体３１と固定具３２とを相対的に回転されることにより容易に重り孔２１に重り３０を着脱することができる。【選択図】図４
2018136435.tif 000002
【特許請求の範囲】
【請求項１】
円柱状であって、中心軸と第１距離にある第１周面と、前記中心軸と前記第１距離より短い第２距離にある第２周面とを有する鉛以外の金属製である重り本体と、
前記重り本体と摺動可能に嵌合する固定具と、を備え、
前記固定具は、
前記重り本体との嵌合状態において、前記重り本体の前記第１周面と摺接する第１面部と、弾性変形可能な爪部と、を有することを特徴とする鍵盤楽器用重り。
【請求項２】
前記重り本体は工具と係合する被係合部を有することを特徴とする請求項１に記載の鍵盤楽器用重り。
【請求項３】
前記固定具は前記爪部を複数有することを特徴とする請求項１または請求項２に記載の鍵盤楽器用重り。
【請求項４】
複数の前記爪部は嵌合する前記重り本体の前記中心軸に対して均等に形成されていることを特徴とする請求項３に記載の鍵盤楽器用重り。
【請求項５】
前記固定具は円筒状であり、一端部に径方向外側に延設された鍔部を有することを特徴とする請求項１乃至請求項４の何れかに記載の鍵盤楽器用重り。
【請求項６】
孔と、
前記重り本体と前記固定具とが相対回転されることにより、
前記固定具の前記爪部が前記重り本体の前記第２周面の径方向に位置する状態で、前記重りを前記孔から挿抜可能とし、
前記固定具の前記爪部が前記重り本体の前記第１周面に当接する状態で、前記重りを前記孔に固定することを特徴とする請求項１乃至請求項５の何れかに記載の鍵盤楽器用重りと、を備える鍵盤。
【発明の詳細な説明】
【技術分野】
【０００１】
本発明は、鍵盤楽器用重りおよび鍵盤に関するものである。
【背景技術】
【０００２】
例えばピアノなどの鍵盤楽器では、鍵に重りが取り付けられている。従来、重りは鉛製であるが、近年、有害物質である鉛を使用しないことが要請されている。そこで、例えば特許文献１のように、鉛以外の材料を用いた重りが提案されている。特許文献１の鍵盤は、鍵に形成された埋設孔に、例えばアルミニウム製の筒状部材を挿入し、例えば鉄製の重りを筒状部材に圧入する。筒状部材が重りにより径方向に押し広げられることで、重りが鍵に固定される。
【先行技術文献】
【特許文献】
【０００３】
【特許文献１】特開２００３−１２２３４４
【発明の概要】
【発明が解決しようとする課題】
【０００４】
ところで、鍵盤に取り付けられる重りは演奏者が押鍵する際に受けるタッチ感に影響を及ぼすものであり、演奏者の好みに応じて、重りの重さが調整される場合がある。この場合、取り付けられている重りを鍵から外し、重さの違う重りが再度取り付けられる。従来の鉛製の重りの場合、重りは圧入されて鍵に固定されているため、外す場合には、重りを破壊する必要があった。また、特許文献１に記載の重りでは、筒状部材が径方向に押し広げられた状態で取り付けられているため、取り外すのが困難であった。
【０００５】
本願は、上記の課題に鑑み提案されたものであって、重りの材料に鉛を使用せず、重りの鍵盤への着脱を容易に行うことができる鍵盤楽器用重りおよび鍵盤を提供することを目的とする。
【課題を解決するための手段】
【０００６】
本明細書は、円柱状であって、中心軸と第１距離にある第１周面と、中心軸と第１距離より短い第２距離にある第２周面とを有する鉛以外の金属製である重り本体と、重り本体と摺動可能に嵌合する固定具と、を備え、固定具は、重り本体との嵌合状態において、重り本体の第１周面と摺接する第１面部と、弾性変形可能な爪部と、を有することを特徴とする鍵盤楽器用重りを開示する。このようにすると、重り本体の第１周面と固定具の第１面部とが接して、重り本体に固定具が嵌合された状態で、鍵盤楽器用重りは鍵の孔に挿入されることができる。また、鍵盤楽器用重りが鍵の孔に挿入された状態で、重り本体の第１周面と固定具の爪部とが接するまで、重り本体もしくは固定具が摺動されると、第１距離は第２距離よりも長いので、爪部は鍵の孔の周面に近い位置に移動するため、鍵盤楽器用重りが鍵の孔に固定されることができる。材料を鉛以外の金属としつつ、重り本体と固定具とを相対的に回すことにより容易に鍵盤の孔に鍵盤楽器用重りを着脱することができる。
【発明の効果】
【０００７】
本願に係る鍵盤楽器用重りによれば、重りの材料に鉛を使用せず、重りの鍵盤への着脱を容易に行うことができる鍵盤楽器用重りおよび鍵盤を提供することができる。
【図面の簡単な説明】
【０００８】
【図１】実施形態に係るグランドピアノの鍵盤部の断面図である。
【図２】重り本体の側面図およびＡ−Ａ断面図である。
【図３】固定具の側面図およびＢ−Ｂ断面図である。
【図４】重り本体および固定具の斜視図である。
【図５】重りの鍵の孔への挿入を説明する斜視図である。
【図６】重りの鍵の孔への固定を説明する、図３のＢ−Ｂ線を切断面とする模式図である。
【発明を実施するための形態】
【０００９】
図１を用いて、本実施形態に係る重りを有するグランドピアノの鍵盤部１０について説明する。鍵盤部１０は、支持板１１、フロントピン１２、バランスピン１３、バランスピン支持部１４、後緩衝部１５、後壁１８、鍵２０、重り３０、アクション部４０、およびダンパー部５０などを備える。ここで、方向は、図１に示す、演奏者から見た方向を用いて説明する。鍵盤部１０は８８個の鍵２０を備える。鍵２０には白鍵２０ａと黒鍵２０ｂとがあるが、同様の構成であるため、代表して白鍵２０ａについて説明する。以下の説明において、白鍵２０ａおよび黒鍵２０ｂの区別が不要である場合には、鍵２０と記載する。尚、鍵２０が並ぶ方向が左右方向である。
【００１０】
支持板１１には、左右方向に延びるバランスピン支持部１４が取り付けられており、バランスピン支持部１４にバランスピン１３が取り付けられている。木製の鍵２０は、四角柱状であり、前後方向の略中央部にバランスピン１３が挿入されるバランス孔（不図示）が形成されている。鍵２０は、バランス孔にバランスピン１３が挿入されて支持されており、バランスピン１３を支軸として上下方向に回動することができる。フロントピン１２は、鍵２０の前側の下方において、支持板１１に取り付けられている。鍵２０には、フロントピン１２に対向する位置に、フロント穴（不図示）が形成されている。鍵２０のフロント穴がフロントピン１２と係合することにより、鍵２０の左右方向のずれが防止される。鍵２０のフロントピン１２と係合するフロント穴の後方には、重り３０が挿入される左右方向に貫通する２つの重り孔２１が形成されている。後緩衝部１５は、鍵２０の後側の下方において、支持板１１に取り付けられている。重り孔２１には重り３０が挿入されている。バランスピン１３の後方には、上方に突出するキャプスタンスクリュー１６が取り付けられている。
【００１１】
アクション部４０は、ハンマー４１およびサポート４２などを有する。サポート４２は、キャプスタンスクリュー１６の上方に配設されている。アクション部４０は、キャプスタンスクリュー１６によりサポート４２に略上向きの力が加えられるのに応じて、グランドピアノが備える弦２をハンマー４１が打つ構造を有している。
【００１２】
ダンパー部５０は、ダンパーヘッド５１、ダンパー緩衝部５２、ダンパーワイヤー５３、ワイヤー支持部５４、ダンパーレバー６０、ダンパーレバー支持部５６、およびリフティングレール５７などを有する。ダンパーレバー支持部５６は、支持板１１の後方に立設された後壁１８に取り付けられている。木製のダンパーレバー６０は四角柱状であり、３つの重り孔６１および支持ピン６２，６３などを有している。重り孔６１は、左右方向にダンパーレバー６０を貫通する孔であり、３つの重り孔６１は前後方向に１列に並んでいる。重り孔６１には重り３０が挿入されている。ダンパーレバー６０は後端部に支持ピン６２が挿通される、左右方向に貫通する貫通孔（不図示）を有している。ダンパーレバー６０は支持ピン６２が貫通孔に挿通されて、回動可能にダンパーレバー支持部５６に支持されている。ダンパーレバー６０は前から１つ目の重り孔６１と、前から２つ目の重り孔６１との間に、支持ピン６３を挿通する、左右方向に貫通する貫通孔（不図示）を有している。ワイヤー支持部５４は下端部に、支持ピン６３を挿通する、左右方向に貫通する貫通孔（不図示）を有している。ワイヤー支持部５４はダンパーレバー６０に挿し込まれ、各々の貫通孔に支持ピン６３が挿通されることにより、ワイヤー支持部５４はダンパーレバー６０に対して回動可能に取り付けられている。尚、上記では、ダンパーレバー６０が有する重り孔６１および重り３０の数は３つであると説明したが、低音側・高音側で重り孔６１および重り３０の数は異なる。
【００１３】
ダンパーワイヤー５３の下端はワイヤー支持部５４に固定され、上端にはダンパーヘッド５１が固定されている。ダンパーヘッド５１の下面は弦２の上方に位置し、４つのダンパー緩衝部５２が取り付けられている。リフティングレール５７はグランドピアノが備える不図示のダンパーペダルと連動するものであり、ダンパーペダルが踏まれると、リフティングレール５７がダンパーレバー６０を押し上げる。
【００１４】
図１に示す、鍵２０が押されていない非押鍵状態では、ダンパーレバー６０の前端部は所定位置に位置し、弦２はダンパー緩衝部５２に押さえられ、振動が妨げられている。演奏時、鍵２０の前端部が押されると、鍵２０の後端部が上方に回動し、ダンパーレバー６０の前端部を上方に押し上げる。これにより、ダンパー緩衝部５２は上方に移動し、弦２は振動することができるようになる。また、キャプスタンスクリュー１６がサポート４２を押し上げて、ハンマー４１が弦２を打つ。これにより、弦２が振動し、グランドピアノは発音する。
【００１５】
ここで、鍵２０が備える重り３０は、演奏者が鍵２０を押す際に受けるタッチ感を調整する役割を持つ。重り３０が挿入されることにより、鍵２０の慣性モーメントは大きくなる。演奏者が鍵２０を押した際に、演奏者の指が鍵２０から受ける反力の大きさにより、演奏者に与える、例えば重い・軽いなどのタッチ感は変化する。そこで、演奏者の好みに応じて、鍵２０に挿入されている重り３０が、重さの異なる別の重り３０に交換される場合がある。この場合、既に鍵２０に挿入されている重り３０を取り出す作業が必要となる。従来の鉛製の重りは、鍵の孔に圧入されることによって鍵に固定されているため、取り出しの際は、鉛製の重りを破壊する必要があった。本実施形態の重り３０は鍵２０への脱着が容易な構造を有しているため、作業者は重り３０の交換を容易に行うことができる。また、ダンパーレバー６０が備える重り３０は、荷重により弦２の振動を止める役割を持つ。鍵２０に挿入されている重り３０と、ダンパーレバー６０に挿入されている重り３０とは、同じ構造を有している。次に、鍵２０に挿入されている重り３０を例に、重り３０について詳述する。
【００１６】
重り３０は鉄製の重り本体３１と樹脂製の固定具３２とを有する。固定具３２は重り本体３１と摺動可能に嵌合する。図２に示すように、重り本体３１は円柱状であり、底面３１ｂ，３１ｂ、第１周面３１ａ、３つの第２周面３１ｃ、および２つの六角穴３１ｄを有する。第１周面３１ａの、中心軸３１ｅとの距離、即ち半径は半径ｒ１である。第２周面３１ｃの半径は半径ｒ１より短い半径ｒ２である。つまり、第２周面３１ｃは第１周面３１ａに対して凹んだ部分の周面である。尚、第１周面３１ａと第２周面３１ｃとの周方向の境界部分は、径方向の外側に向かって、広がるテーパー形状とされている。第２周面３１ｃは重り本体３１の軸方向において略中央にあり、３つの第２周面３１ｃは周方向において、中心軸３１ｅに対して均等に形成されている。六角穴３１ｄは、汎用工具である六角レンチと係合する穴であり、２つの底面３１ｂの各々の中心に、軸方向に所定の深さで形成されている。
【００１７】
図３に示すように、固定具３２は円筒状であり、周面３２ａ、鍔部３２ｂ、３つの爪部３２ｃを有する。重り本体３１と嵌合された状態で、周面３２ａは重り本体３１の第１周面３１ａと摺接する。周面３２ａの半径は、重り本体３１の第１周面３１ａの半径より若干大きい。これより、重り本体３１が固定具３２に嵌合された際に、重り本体３１は固定具３２に対して摺動することができる。鍔部３２ｂは、固定具３２の一端に径方向の内側および外側に延設されている。鍔部３２ｂは、円環状であり、内側の円の半径は周面３２ａの半径よりも小さく、外側の円の半径は周面３２ａの半径よりも大きい（図４参照）。これにより、重り本体３１が固定具３２に挿入される際に、底面３１ｂが鍔部３２ｂと当接し、容易に位置決めされることができる。また、重り３０が重り孔２１に挿入される際に、鍔部３２ｂが鍵２０の面に当接し、容易に位置決めされることができる。爪部３２ｃは、切り欠かれた周面部分に形成されており、径方向の外側に向かって突出している。３つの爪部３２ｃは周方向において、中心軸に対して均等に形成されている。爪部３２ｃは径方向に弾性変形可能である。
【００１８】
次に、重り３０の鍵２０への取り付け方法について説明する。図４に示すように、固定具３２に重り本体３１が、爪部３２ｃと第２周面３１ｃとが重なるように、鍔部３２ｂに重り本体３１の底面３１ｂが当接するまで挿入される。次に、図５に示すように、重り３０が、鍔部３２ｂが鍵２０の重り孔２１が形成されている面に当接するまで、重り孔２１に挿入される。この状態では、図６の左側に示すように、爪部３２ｃは重り孔２１の周面により、中心軸３１ｅ方向に付勢される。ここで、爪部３２ｃは中心軸３１ｅに向かって容易に弾性変形し、爪部３２ｃは第２周面３１ｃと重なる位置にあるため、爪部３２ｃと第２周面３１ｃとの間には間隙があり、重り３０は重り孔２１から容易に挿抜されることができる。次に、六角穴３１ｄに六角レンチが挿入されて、爪部３２ｃと第１周面３１ａとが重なる位置まで、重り本体３１が回転されると、図６の右側に示す状態となる。この状態では、爪部３２ｃは第１周面３１ａに押されるため、爪部３２ｃが重り孔２１の周面を押す力が生じる。これにより、重り３０は重り孔２１に固定される。
【００１９】
このように、固定具３２の爪部３２ｃが重り本体３１の第２周面３１ｃの径方向に位置する嵌合状態で、重り３０は重り孔２１から挿抜可能であり、重り本体３１と固定具３２との嵌合状態で、重り本体３１と固定具３２とが相対回転されることにより、固定具３２の爪部３２ｃが重り本体３１の第１周面３１ａに当接する状態で、重り３０は重り孔２１に固定される。
【００２０】
尚、重り３０の鍵２０からの取り外し方法は、取り付け方法と逆の手順を踏めば良い。即ち、第２周面３１ｃと爪部３２ｃとが重なる位置まで、重り本体３１が回転された後、重り３０は重り孔２１から取り出される。次に、固定具３２から重り本体３１が取り外される。このように、演奏者の好みのタッチ感となるまで、破壊することなく、重り３０は繰り返し着脱されることができる。
【００２１】
尚、重り３０の重さは、重り本体３１の軸方向の長さにより調整されている。つまり、重い重り本体３１ほど、軸方向の長さは長い。重り本体３１は、長い円柱状の鉄製の部材が所定の長さに切り分けられた後、例えば汎用切削工作機を用いた切削により、第２周面３１ｃおよび六角穴３１ｄが形成されて製造される。従って、削り代が少ないため、重り本体３１を安価に製造することができる。また、重さ違いの重り本体３１は、長さを異なるものとすれば良いため、重さ違いの重り本体３１が製造し易くなっている。尚、固定具３２は、重り本体３１の長さに関わらず、共通の形状とすることができる。また、爪部３２ｃは第１周面３１ａに押されて重り孔２１の周面を押す構成であるため、重り孔２１の径にばらつきがある場合にも、重り３０は確実に固定されることができる。特に、鍵２０の材料が、加工精度の高い孔を形成するのが難しい木である場合にも、重り孔２１の径のばらつきに関わらず、重り３０は確実に固定されることができる。
【００２２】
尚、重り３０の取り付け方法は上記に限らない。重り孔２１に固定具３２を挿入した後に、重り孔２１に挿入された固定具３２に、爪部３２ｃと第２周面３１ｃとが重なる位置で重り本体３１を挿入し、重り本体３１が回転されて固定されても良い。
【００２３】
ここで、重り本体３１は重り本体の一例であり、固定具３２は固定具の一例であり、重り３０は鍵盤楽器用重りの一例である。また、第１周面３１ａは第１周面の一例であり、第２周面３１ｃは第２周面の一例であり、周面３２ａは第１面部の一例であり、爪部３２ｃは爪部の一例である。また、重り孔２１および重り孔６１は鍵盤の孔の一例である。六角穴３１ｄは被係合部の一例であり、鍔部３２ｂは鍔部の一例である。
【００２４】
以上、説明した実施形態によれば、以下の効果を奏する。
固定具３２は、鉄製である重り本体３１の第１周面３１ａと摺接する周面３２ａを有するため、第１周面３１ａと周面３２ａとが接して、重り本体３１に固定具３２が嵌合された状態で、重り３０は重り孔２１に挿抜されることができる。重り本体３１と固定具３２とが相対回転されて、固定具３２の爪部３２ｃが重り本体３１の第１周面３１ａに当接すると、第１周面３１ａにより、爪部３２ｃは重り孔２１の周面に向かって付勢するため、重り３０は重り孔２１に固定される。重り３０の材料を鉛以外の鉄としつつ、重り本体３１と固定具３２とを相対的に回転されることにより容易に重り孔２１に重り３０を着脱することができる。
【００２５】
また、重り本体３１は六角穴３１ｄを有するので、重り３０が重り孔２１に挿入された状態で、汎用工具である六角レンチにより、重り本体３１が回転されることができる。また、重り本体３１は第２周面３１ｃを３つ有する。これにより、重り３０は３つの位置で、重り孔２１に固定されるため、確実に固定されることができる。また、３つの第２周面３１ｃは重り本体３１の周方向において、中心軸３１ｅに対して均等に形成されている。これにより、３つの爪部３２ｃによる重り孔２１への付勢力が均等になるため、確実に固定されることができる。また、固定具３２は一端に、径方向外側に延設された鍔部３２ｂを有する。これにより、挿入の際、鍔部３２ｂは重り孔２１が形成されている鍵２０の面と当接するため、重り３０の鍵２０に対する位置決めが容易にされることができる。
【００２６】
尚、本発明は前記実施形態に限定されるものではなく、本発明の趣旨を逸脱しない範囲内での種々の改良、変更が可能であることは言うまでもない。
例えば、上記では、重り本体３１は鉄製であると説明したが、材料は鉄に限定されない。鉛以外の金属である、例えば、銅、安価、ビスマスなどでも良い。
【００２７】
また、上記では、固定具３２は３つの爪部３２ｃを有すると説明したが、爪部３２ｃの個数は、２つ以下でも、４つ以上でも良い。
【００２８】
また、上記では、重り本体３１は六角レンチと係合する六角穴３１ｄを有すると説明したが、形状はこれに限定されない。他の汎用工具である、例えば、マイナスドライバー、プラスドライバーなどと係合する形状としても良い。また、汎用工具と係合する係合部を重り本体３１ではなく、固定具が有する構成としても良い。具体的には、鍔部３２ｂに、例えばマイナスドライバーと係合する溝を形成する構成とすると良い。
【００２９】
また、上記では、重さ違いの重り本体３１は、軸方向の長さが異なると説明したが、これに限定されない。重り本体３１の六角穴３１ｄの径方向の大きさ、軸方向の深さにより、重り本体３１の重さが調整される構成としても良い。
【００３０】
また、上記では重り本体３１は円柱状であると説明したが、これに限定されない。例えば、底面の形状を楕円形形状などとしても良い。また、上記では固定具３２は円筒状であると説明したが、これに限定されない。例えば、円筒の周面の、重り本体３１と摺接する面のみを残した部材に爪部を設けた形状などとしても良い。
【００３１】
また、重り本体３１および固定具３２の形状は上記に限定されない。重り孔２１に挿入された状態で、供回りせずに、重り本体３１と固定具３２との一方のみが相対回転され易い形状とすると良い。例えば重り孔２１の周面に対して固定具３２が回りにくくするために、固定具３２の外周面に摩擦係数が大きくなる加工を施すなどすると良い。あるいは、例えば、固定具３２に対して、重り本体３１が回り易くするために、重り本体３１の外周面および固定具３２の内周面に摩擦係数が小さくなる加工を施すなどすると良い。あるいは、上記の、汎用工具と係合する係合部を固定具が有する構成の場合には、固定具を回り易くするために、固定具３２の外周面に摩擦係数が小さくなる加工を施すなどすると良い。
【００３２】
また、上記では、鍵盤楽器として、グランドピアノを例示したが、これに限定されない。鍵盤楽器として、アップライトピアノ、電子鍵盤楽器などにも適用することができる。重り３０を挿入する鍵の材料が、例えば木であるか、樹脂であるかなどに関わらず、本実施形態の重り３０を適用することができる。
【符号の説明】
【００３３】
１０  鍵盤部
２０  鍵
２１  重り孔
３０  重り
３１  重り本体
３１ａ  第１周面
３１ｃ  第２周面
３１ｄ  中心軸
３２  固定具
３２ａ  周面
３２ｂ  鍔部
３２ｃ  爪部
６１  重り孔
【図１】
2018136435.tif 000003
【図２】
2018136435.tif 000004
【図３】
2018136435.tif 000005
【図４】
2018136435.tif 000006
【図５】
2018136435.tif 000007
【図６】
2018136435.tif 000008